(57)【要約】【課題】トイレ等に配置し易く、かつ、幼児等のトイレトレーニング等を行い易い幼児用シート体容器等を提供すること。【解決手段】トイレで幼児の臀部を清拭するためのシート体１１ａと、シート体を複数収容する容器本体１０と、を有し、容器本体には、シート体を取り出すための取出口１２と、容器本体を保持するための取付部２０と、が形成され、容器本体には、複数の個別シール部１５ａが各別に剥離可能に配置されている個別シール配置部１５が着脱可能に備えられていると共に、個別シール部を個別シール配置部から剥離させて再貼付するための個別シール再貼付部１１ｂが備えられている幼児用シート体容器１。【選択図】図３
2008094421.tif 000002
【特許請求の範囲】
【請求項１】
トイレで幼児の臀部を清拭するためのシート体と、
このシート体を複数収容する容器本体と、を有する幼児用シート体容器であって、
前記容器本体には、
前記シート体を取り出すための取出口と、
前記容器本体を保持するための取付部と、が形成され、
前記容器本体には、複数の個別シール部が各別に剥離可能に配置されている個別シール配置部が着脱可能に備えられていると共に、前記個別シール部を前記個別シール配置部から剥離させて再貼付するための個別シール再貼付部が備えられていることを特徴とする幼児用シート体容器。
【請求項２】
前記個別シール再貼付部が複数の個別シール部によって完成される完成画を有することを特徴とする請求項１に記載の幼児用シート体容器。
【請求項３】
前記取付部は、前記容器本体に対して着脱可能な構成となっていると共に、トイレットペーパーホルダに対して着脱可能な構成となっており、
前記取付部には、前記個別シール配置部及び／又は前記個別シール再貼付部を保持するシール保持部が形成されていることを特徴とする請求項１又は請求項２のいずれかに記載の幼児用シート体容器。
【請求項４】
前記取付部には、前記容器本体を着脱可能に保持するための容器保持部と、
前記容器保持部をトイレットペーパーホルダに対して配置固定するための配置固定部と、を有し、
前記配置固定部は、その下方側に、前記トイレットペーパーホルダの背面側に差し込まれる差込部を有し、
前記容器保持部は、少なくとも、前記容器本体の底面側外周における長手方向の両端部側に相当する容器側面と容器背面とを保持する載置部を有し、
前記容器保持部は、前記配置固定部に対して直交方向に沿って着脱可能な構成とされ、
前記配置固定部の上側には、前記個別シール配置部を保持する個別シール配置部用保持部が形成されていることを特徴とする請求項１乃至請求項３のいずれかに記載の幼児用シート体容器。
【請求項５】
前記シート体は、薬液を含浸させたウェットティシュ片とされており、
前記ウェットティシュ片は、水不透過性の包装袋に収容され、
前記容器本体には、前記包装袋を出し入れするための容器開口部と、
前記容器開口部を覆うための蓋体と、
前記ウェットティシュ片の前記取出口を開閉するための開閉蓋と、を有し、
前記包装袋には、前記ウェットティシュ片を取り出すための袋側取出口が形成されると共に、前記包装袋の未使用状態で、この袋側取出口を覆うための封止ラベル部が形成され、
前記封止ラベル部の前記袋側取出口側には、接着面が形成されており、
前記封止ラベル部の前記接着面が、前記容器本体に貼付されることで前記個別シール再貼付部となっていることを特徴とする請求項１乃至請求項４のいずれかに記載の幼児用シート体容器。
【請求項６】
前記袋側取出口には、袋側取出口被覆部が形成され、
前記封止ラベル部を、前記包装袋から剥がす際に、前記袋側取出口被覆部を前記接着面の一部で接着して前記包装袋から切除する構成となっており、
前記袋側取出口被覆部は、前記封止ラベル部の略中央部に位置するように形成されていることを特徴とする請求項５に記載の幼児用シート体容器。
【請求項７】
トイレ内に固定するための取付部と、薬液を含浸したウェットティシュ片を取り出すための取出口と、を有する容器に収容される複数の水不透過性の幼児用ウェットティシュ包装袋セットであって、
各々の前記包装袋には、前記ウェットティシュ片を取り出すための袋側取出口と、
未使用時にその袋側取出口を覆うことができる封止ラベル部と、を備え、
前記封止ラベル部の前記袋側取出口側には、接着面が形成されており、
複数の個別シール部が各別に剥離可能に配置されている個別シール配置部を前記包装体の数に対応して備えられ、
前記個別シール部を前記個別シール配置部から剥離させて再貼付するための個別シール再貼付部が前記封止ラベル部に形成されており、封止ラベル部が前記容器に貼着されて前記個別シール再貼付部とされることを特徴とする幼児用ウェットティシュ包装袋セット。
【発明の詳細な説明】
【技術分野】
【０００１】
本発明は、シート体容器を特定箇所等に配置するための幼児用シート体容器及び幼児用ウェットティシュ包装袋セットに関するものである。
【背景技術】
【０００２】
幼児等がおむつ替えをするときに、シート体である例えば、ウェットティシュ等を使用することがあり、このとき、おむつ替えをスムーズに行うため、ウェットティシュ容器等に玩具等を備えているもの（例えば、特許文献１）や、ウェットティシュ包装体の表面に絵等を備えているもの（例えば、特許文献２）等が提案されている。
【特許文献１】特開２００４−４２９１３号公報（図１等）
【特許文献２】特開２００１−３５８号公報（図１等）
【発明の開示】
【発明が解決しようとする課題】
【０００３】
ところで、幼児等は、その成長の過程で、おむつの使用から大人と同様にトイレを使用するための練習であるトイレトレーニングを行う必要がある。
トイレの習慣を幼児等に行わせる当初においては、幼児等が上手にトイレを使用できず、幼児等がトイレに行くことを嫌がる等の現象が生じている。
このため、従来はトイレに玩具等を置き、この玩具で、幼児等がトイレに行くことを誘うということを行っていた。
一方、この時期の幼児は、おむつ交換時にウェットティシュを使っていたこともあって、スムーズなトイレトレーニングのためにトイレでもウェットティシュを使用したいという要請があるため、ウェットティシュを収容したウェットティシュ容器もトイレに配置したいとの要請がある。
しかし、狭いトイレ内に玩具やウェットティシュ容器等を配置することは困難であるため、玩具やウェットティシュ等のシート体をトイレで同時に使用することは難しく、また、玩具を備えたウェットティシュ容器自体が、トイレでは狭くて使用しづらく、幼児等のトイレトレーニング等をスムーズに行うことができないという問題があった。
【０００４】
そこで、本発明は、トイレ等に配置し易く、かつ、幼児等のトイレトレーニング等を行い易い幼児用シート体容器及び幼児用ウェットティシュ包装袋セットを提供することを目的とする。
【課題を解決するための手段】
【０００５】
前記課題は、請求項１の発明によれば、トイレで幼児の臀部を清拭するためのシート体と、このシート体を複数収容する容器本体と、を有する幼児用シート体容器であって、前記容器本体には、前記シート体を取り出すための取出口と、前記容器本体を保持するための取付部と、が形成され、前記容器本体には、複数の個別シール部が各別に剥離可能に配置されている個別シール配置部が着脱可能に備えられていると共に、前記個別シール部を前記個別シール配置部から剥離させて再貼付するための個別シール再貼付部が備えられていることを特徴とする幼児用シート体容器により達成される。
【０００６】
前記構成によれば、幼児用シート体容器には、容器本体を保持するための取付部が形成されているので、容器本体を例えばトイレ等の狭いところでも、使用者の邪魔にならずに配置することができる。
また、幼児がおむつ使用から大人のようにトイレを使用することができるようになるための練習であるトイレトレーニングをする際には、幼児のトイレ使用が成功する度に、個別シール配置部にある一の個別シール部を剥離させ、個別シール再貼付部に貼り付けるようにすることができる。
すなわち、シール貼りは、幼児にとって楽しいものであるため、このように、トイレ使用とシール貼りを関連付けることで、幼児のトイレトレーニングを幼児にとって楽しいものとすることができ、しかも複数のシール部を使用することで、できたことによる喜びをその都度体験することができ、円滑にトイレトレーニングを行うことができる。
また、このようにトイレトレーニングを楽しいものとする個別シール配置部は容器本体に着脱可能に配置できるので、狭いトイレ等においても、邪魔にならず、且つ紛失せずに保管することができる。また、個別シール部を再貼付するための個別シール再貼付部も、容器本体に備えられているので、同様に、狭いトイレ等においても、邪魔にならず、且つ紛失することもない。
したがって、トイレ等に配置し易く、且つ、幼児等のトイレトレーニング等を行い易い幼児用シート体容器となる。
【０００７】
好ましくは、請求項２の発明によれば、請求項１の構成において、前記個別シール再貼付部が複数の個別シール部によって完成される完成画を有することを特徴とする幼児用シート体容器である。
【０００８】
前記構成によれば、使用者である幼児等は、個別シール部を個別シール再貼付部に貼付し、トイレトレーニングを繰り返していくことで、完成画を完成させる工程をたどることができるので、トイレトレーニングをより楽しいものとすることができる。
【０００９】
好ましくは、請求項３の発明によれば、請求項１又は請求項２のいずれかの構成において、前記取付部は、前記容器本体に対して着脱可能な構成となっていると共に、トイレットペーパーホルダに対して着脱可能な構成となっており、前記取付部には、前記個別シール配置部及び／又は前記個別シール再貼付部を保持するシール保持部が形成されていることを特徴とする幼児用シート体容器である。
【００１０】
前記構成によれば、取付部は、トイレットペーパーホルダに対して着脱可能な構成となっているので、容器本体をトイレットペーパーホルダに取り付けることができ、狭いトイレ等の中で容器本体を配置し易い。
また、取付部は、容器本体に対して着脱可能な構成となっているので、容器本体を取付部から取り外して、トイレ等以外の場所でシート体を使用することができる。
また、取付部には、個別シール配置部及び／又は個別シール再貼付部を保持するシール保持部が形成されているので、個別シール配置部等を紛失することなく、個別シール再貼付部に近接した使いやすい場所に保管することでき、扱い易い構成となっている。
【００１１】
好ましくは、請求項４の発明によれば、請求項１乃至請求項３のいずれかの構成において、前記取付部には、前記容器本体を着脱可能に保持するための容器保持部と、前記容器保持部をトイレットペーパーホルダに対して配置固定するための配置固定部と、を有し、前記配置固定部は、その下方側に、前記トイレットペーパーホルダの背面側に差し込まれる差込部を有し、前記容器保持部は、少なくとも、前記容器本体の底面側外周における長手方向の両端部側に相当する容器側面と容器背面とを保持する載置部を有し、前記容器保持部は、前記配置固定部に対して直交方向に沿って着脱可能な構成とされ、前記配置固定部の上側には、前記個別シール配置部を保持する個別シール配置部用保持部が形成されていることを特徴とする幼児用シート体容器である。
【００１２】
前記構成によれば、容器保持部によって容器本体が確実に保持され、配置固定部によって、取付部はトイレットペーパーホルダに、確実に取り付けされる。また、配置固定部はその下方側の差込部によって、トイレットペーパーホルダに取り付けられ、このように取り付けられた配置固定部に直交方向に着脱される容器保持部は、容器本体の底面側を、その載置部で載置し、保持する構成となっている。
このため、載置部に載置された容器本体の取出口が上方を向いて配置され、しかも、容器本体の長手方向の両端部で保持されるので、使用者がシート体を取り出し易い構成となっている。
また、配置固定部の上側には、個別シール配置部を保持する個別シール配置部用保持部が形成されているので、この個別シール配置部用保持部に個別シール配置部を保管できる。そして、この個別シール配置部用保持部は、個別シール配置部を使用者が視認しやすい位置なので、幼児や保護者等にとっても取り出しやすい構成となっている。
【００１３】
好ましくは、請求項５の発明によれば、請求項１乃至請求項４のいずれかの構成において、前記シート体は、薬液を含浸させたウェットティシュ片とされており、前記ウェットティシュ片は、水不透過性の包装袋に収容され、前記容器本体には、前記包装袋を出し入れするための容器開口部と、前記容器開口部を覆うための蓋体と、前記ウェットティシュ片の前記取出口を開閉するための開閉蓋と、を有し、前記包装袋には、前記ウェットティシュ片を取り出すための袋側取出口が形成されると共に、前記包装袋の未使用状態で、この袋側取出口を覆うための封止ラベル部が形成され、前記封止ラベル部の前記袋側取出口側には、接着面が形成されており、前記封止ラベル部の前記接着面が、前記容器本体に貼付されることで前記個別シール再貼付部となっていることを特徴とする幼児用シート体容器である。
【００１４】
前記構成によれば、通常は廃棄している封止ラベル部を、その接着面によって個別シール再貼着部として容器本体に貼り付ける構成となり、個別シール再貼付部に形成される完成画等を、包装袋毎に変えたり、同じ完成画等であっても新たにスタートしたりすることができるので、封止ラベル部を廃棄せずに活用しながらも、トイレトレーニング等を行う幼児が飽きることなく、練習をするよう促すことができる。
【００１５】
好ましくは、請求項６の発明によれば、請求項５の構成において、前記袋側取出口には、袋側取出口被覆部が形成され、前記封止ラベル部を、前記包装袋から剥がす際に、前記袋側取出口被覆部を前記接着面の一部で接着して前記包装袋から切除する構成となっており、前記袋側取出口被覆部は、前記封止ラベル部の略中央部に位置するように形成されていることを特徴とする幼児用シート体容器である。
【００１６】
前記構成によれば、封止ラベル部を包装袋から剥離させた後は、その略中央部に袋側取出口被覆部が接着され、封止ラベル部の接着面を覆うように構成される。このため、封止ラベル部を、容器本体の例えば前面側に、その接着面の接着力を介して接着しても、封止ラベル部の全面が容器本体に貼り付けられず、袋側取出口被覆部は非接着の状態に保持される。
このため、容器本体に貼り付けた封止ラベル部を、交換する際に、剥がし易い構成となっていると共に、容器本体の表面等を接着面で汚しにくい構成となっている。
【００１７】
前記課題は、請求項７の発明によれば、トイレ内に固定するための取付部と、薬液を含浸したウェットティシュ片を取り出すための取出口と、を有する容器に収容される複数の水不透過性の幼児用ウェットティシュ包装袋セットであって、各々の前記包装袋には、前記ウェットティシュ片を取り出すための袋側取出口と、未使用時にその袋側取出口を覆うことができる封止ラベル部と、を備え、前記封止ラベル部の前記袋側取出口側には、接着面が形成されており、複数の個別シール部が各別に剥離可能に配置されている個別シール配置部を前記包装体の数に対応して備えられ、前記個別シール部を前記個別シール配置部から剥離させて再貼付するための個別シール再貼付部が前記封止ラベル部に形成されており、封止ラベル部が前記容器に貼着されて前記個別シール再貼付部とされることを特徴とする幼児用ウェットティシュ包装袋セットにより達成される。
【００１８】
前記構成によれば、包装袋内のウェットティシュ片を使い終わった等の理由で、他の包装袋を使用するとき、確実に違う個別シールと、これに対応する個別シール再貼付部に変更することができるので、幼児のトイレトレーニング等を促すことができる。
【発明の効果】
【００１９】
本発明は、本発明は、トイレ等に配置し易く、かつ、幼児等のトイレトレーニング等を行い易い幼児用シート体容器及び幼児用ウェットティシュ包装袋セットを提供することができるという利点がある。
【発明を実施するための最良の形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
（第１の実施の形態）
図１は、本発明である幼児用シート体容器の第１の実施の形態である例えば取付部材付きウェットティシュ容器１が、トイレットペーパーホルダ２に装着されている状態を示す概略斜視図である。
図１に示すように、取付部材付きウェットティシュ容器１は、トイレ内に配置されるトイレットペーパーを保持するトイレットペーパーホルダ２上に装着して使用される。
このように、取付部材付きウェットティシュ容器１が、トイレットペーパーホルダ２上に配置することで、狭いトイレ空間であっても、容器本体である例えば、ウェットティシュ容器１０を配置することが可能となっている。また、このようにウェットティシュ容器１０を配置することで、その内部に収容されている薬剤等が含浸されたウェットティシュ片を使用者が使い易くなっている。つまり、使用者である幼児やその保護者等がトイレでウェットティシュ片を引き出し易く、かつ、幼児の臀部をウェットティシュ片で清拭しやすい構成となっている。なお、ウェットティシュ片はシート体の一例となっている。
【００２２】
また、図２は、図１の取付部材付きウェットティシュ容器１の概略分解斜視図である。図２に示すように、ウェットティシュ容器１０は、その内部にウェットティシュ包装袋１１を収容可能な構成となっている。また、このウェットティシュ包装袋１１内には、薬剤等を含浸させた多数のウェットティシュ片１１ａが、その各端部が部分的に重ねられて、連続して取り出し易い所謂ポップアップ状に折り畳まれた状態で収納されている。
また、ウェットティシュ包装袋１１は、水不透過性の材料等により形成されている。
一方、ウェットティシュ容器１０は、図２の上側にウェットティシュ片１１ａの取出口１２が設けられ、この取出口１２を露出状態又は閉状態にするための開閉蓋１３（蓋体の一例）が形成され、下側にはウェットティシュ包装袋１１を出し入れするための出入蓋１９（開閉蓋の一例）が設けられ、出し入れするための開口である容器開口１０ａ（容器開口部の一例）を開閉可能な構成とされている。
なお、本実施の形態では、出入蓋１９がウェットティシュ容器１０の下側に配置される構成となっているが、これに限らず、ウェットティシュ容器の下側内にウェットティシュ包装袋１１を収容し、ウェットティシュ容器の上側を、開閉蓋１３を設けた出入蓋１９で覆う構成としても良い。
【００２３】
ところで、本実施の形態では、図１及び図２に示すようにウェットティシュ容器１０の前面に楕円形のシール貼付部が形成されている。このシール貼付部は、図２のウェットティシュ包装袋１１の開口を覆うラベル１１ｂを剥がし、シール貼付部としてウェットティシュ容器１０の前面にラベル１１ｂを貼り付けることで形成される。
つまり、このラベル１１ｂの表面には、図柄等が表されている。この図柄の一例を示したのが図３である。図３では、例えば動物園の図柄が記載され、複数の動物が示されている。この他にも、水族館や公園、遊園地、海、山等、幼児が好む場面の図柄が示される。
すなわち、母親等の利用者は、ウェットティシュ包装袋１１をウェットティシュ容器１０内に収容する際、ラベル１１ｂを剥がすが、この剥がされたラベル１１ｂをウェットティシュ容器１０の前面に貼付することでシール貼付部となる。
また、本実施の形態では、ウェットティシュ包装袋１１には、別体で図１及び図２に示すように、個別シール台紙１５が付いている。
【００２４】
以上のラベル１１ｂ及びシール台紙１５について、図４及び図５を用いて詳細に説明する。図４（ａ）は、図２のラベル１１ｂの表面を示す概略図であり、図４（ｂ）は、ラベル１１ｂの裏面側を示す概略図である。また、図５は、図２のシール台紙１５を示す概略図である。
まず、本実施の形態では、ラベル１１ｂとシール台紙１５とは一つのセットとして流通される。すなわち、図２に示すように、ウェットティシュ包装袋１１はウェットティシュ容器１０内に配置されて使用されることから、ウェットティシュ包装袋１１内のウェットティシュ片１１ａを使用し終わると、新しいウェットティシュ包装袋１１と入れ替えることができる。このとき、新しいウェットティシュ包装袋１１と対となってシール台紙１５が供給される関係となっている。
そして、シール台紙１５には、図５に示すように、例えば動物園の動物が、動物毎（パンダ、ライオン等）に分けて個別にシール１５ａとしてシール台紙１５から剥がされる構成になっている。
一方、図４（ａ）に示すように、ラベル１１ｂの表面には、例えば、動物園の図柄が描かれ、シール台紙１５の動物を模した各シール１５ａを貼付する部分が示されている。
したがって、幼児等がシール台紙１５から一つの動物、例えばパンダのシール１５ａを剥がし、ラベル１１ｂのパンダの部分に再貼付することができ、これをすべての動物について行うことで動物園が完成する構成となっている。
【００２５】
具体的には、まず、図２のウェットティシュ包装袋１１を入れ替えた使用者である例えば、保護者は、図２のラベル１１ｂを完全に剥離させて、包装袋取出口１１ｃを露出させ、ウェットティシュ容器１０の容器開口１０ａからウェットティシュ包装袋１１を挿入し、配置し、出入蓋１９を容器開口１０ａに装着する。
すなわち、包装袋取出口１１ｃが袋側取出口の一例となっており、ラベル１１ｂが、ウェットティシュ包装袋１１の未使用状態で、包装袋取出口１１ｃを覆うための封止ラベル部の一例となっている。
次に、保護者等は、このラベル１１ｂを図２及び図３に示すように、シール貼付部としてウェットティシュ容器１０の前面側に貼付する。
つまり、図４（ｂ）で示すラベル１１ｂの裏面側には、接着面１１ｄが形成されているため、この接着面１１ｄによって、ラベル１１ｂはウェットティシュ容器１０の前面に貼り付けることができる構成となっている。
【００２６】
また、ウェットティシュ包装袋１１は、使用に際し、ラベル１１ｂを剥がすと、包装袋取出口１１ｃを覆っている被覆部１１ｅがラベル１１ｂに接着して、ウェットティシュ包装袋１１から切除させる構成となっている。
すなわち、ウェットティシュ包装袋１１に包装袋取出口１１ｃの外縁に沿って脆弱部等が設けられており、ラベル１１ｂの接着面１１ｄをその上に貼着した状態から、図２に示すように使用者が開封すると、包装袋取出口１１ｃの形状となるように、被覆部１１ｅが切除され、図４（ｂ）に示すように、ラベル１１ｂの裏面側の接着面１１ｄの略中央部に被覆部１１ｅが配置される。
このとき、ラベル１１ｂの略中央部は、被覆部１１ｅによって接着面１１ｄが覆われるため、ラベル１１ｂをウェットティシュ容器１０の前面側に、貼り付けるとき、ラベル１１ｂの裏面全体がウェットティシュ容器１０に貼り付けられることがない。
【００２７】
また、ラベル１１ｂの長手方向における一方の端部には、つまみ１１ｆが形成されており、接着面１１ｄの上から印刷等によって接着効果を無くすことで、被覆部１１ｅ同様に接着効果を有さない構成とされている。
したがって、ウェットティシュ包装袋１１を入れ替える際に、新たなラベル１１ｂをウェットティシュ容器１０に貼るため、既に貼ってあるラベル１１ｂを剥がす場合でも、剥がしやすい構成となっている。また、ラベル１１ｂの裏面側の全面がウェットティシュ容器１０に貼り付けられないので、ウェットティシュ容器１０の表面を接着剤等で汚しにくい構成ともなっている。
このように、被覆部１１ｅは、袋側取出口被覆部の一例となっている。
【００２８】
次に、幼児が大人と同様にトイレを使うトイレトレーニングを行うとき、その都度、幼児が図５のシール台紙１５から、動物シール１５ａを一つずつ剥がし、ラベル１１ｂに貼り付けることで、動物園を完成させる工程をたどることになり、幼児に楽しみを与える構成となっている。このため、従来、うまくトイレを使用できず、トイレを嫌がる幼児であっても、トイレに行き易くすることができ、幼児のトイレトレーニングを楽しくさせることができる。しかも、複数の動物シール１５ａが配置されているため、トイレに行って成功する度に一枚づつ貼っていくことで、自ら積極的にトイレに行くことを促すことができる。
このように、シール台紙１５が、個別シール配置部の一例となっており、各動物のシール１５ａが個別シール部の一例となっている。また、ラベル１１ｂの表面側が個別シール再貼付部の一例となっている。
【００２９】
また、本実施の形態では、図２等で示すように、ラベル１１ｂをウェットティシュ容器１０の前面側に形成するようになっているため、幼児がシール台紙１５の動物シールを、ラベル１１ｂに再貼付しやすく、使い易い構成となっている。
また、ラベル１１ｂの表面側には、動物園と複数の動物が描かれており、シール台紙１５の各動物シールを貼ることで完成される動物園（完成画の一例）となっているので、動物園を完成させる工程を幼児がたどることができるので、幼児のトイレトレーニングを楽しくさせることができる。
【００３０】
また、本実施の形態では、ウェットティシュ包装袋１１を替える毎に、異なる図柄のラベル１１ｂとシール台紙１５に変更できるので、トイレトレーニングを行う幼児を飽きさせない構成となっている。
特に、交換用のウェットティシュ包装袋１１については、流通において複数個を一セットとして構成すると、それぞれのウェットティシュ包装体１１と対をなすシール台紙１５の種類を変えて、それぞれ提供できるので、ウェットティシュ包装袋１１を交換し、ラベル１１ｂを交換すると、その表面の図柄も確実に変わり、幼児を飽きさせることなく、トイレトレーニングを行わせることができる。
【００３１】
ところで、ウェットティシュ容器１０は、その内部にウェットティシュ包装袋１１を収容し、出入蓋１９をセットして図１に示すようにすると、図１及び図３に示すように、ウェットティシュ容器１０の側面における出入蓋１９の上端側に凹部が形成される構成となっている。これが、容器側面凹部１６である。
また、図２には、取付部材付きウェットティシュ容器１０の取付部材２０が開示されている。この取付部材２０は、ウェットティシュ容器１０を保持するための取付部の一例となっている。
このように、ウェットティシュ容器１０は、取付部材２０を有するため、図１に示すように、トイレットペーパーホルダ２上に配置でき、狭いトイレであっても、ウェットティシュ容器１０を使用者の邪魔にならずに配置することが可能となっている。
【００３２】
ところで、図６は、取付部材付きウェットティシュ容器１の流通状態を示す概略図であるが、ウェットティシュ容器１０の出入蓋１９の裏面側には、ウェットティシュ容器１０の周縁に沿って凹部である、容器底面凹部１７が複数形成され、それぞれは、リブ１７ａで区切られている。
【００３３】
図２に示すように、取付部材２０は、ウェットティシュ容器１０を保持するための容器保持部２１と、この容器保持部２１を、所定位置、本実施の形態では、例えばトイレットペーパーホルダ２上に配置固定するための配置固定部３１を有している。
先ず、容器保持部２１について説明する。容器保持部２１は、図２に示すように、ウェットティシュ容器１０の底面側を載置する載置部２２を有している。
すなわち、載置部２２はウェットティシュ容器１０の底面側外周を保持しており、かつ、底面が図１に示すようにトイレットペーパーホルダ２上に配置される。
したがって、この載置部２２にウェットティシュ容器１０を置くことで、容器保持部２１がウェットティシュ容器１０の下側（出入蓋１９側）を保持できる構成となっている。
また、図２に示すように、容器保持部２１は、載置部２２の外縁から図２の上方に立ち上がり、壁のように形成される壁面部２３を有している。
この壁面部２３は、図２に示すように、載置部２２に沿って形成されているため、少なくとも、その一部が互いに対向するように、ここでは長手方向に沿って配置されている。
したがって、載置部２２にウェットティシュ容器１０が載置されると、ウェットティシュ容器１０の側面が図３に示すように壁面部２３によって挟まれるよう保持されるため、ウェットティシュ容器１０が、容器保持部２１により安定的に保持されることとなる。
また、この壁面部２３は載置部２２に載置されたウェットティシュ容器１０の背面側にも形成されている
【００３４】
また、この壁面部２３の一部には、例えば、その上部に内側に向かって突出している壁面凸部２３ａが例えば、２箇所形成されている。これら２箇所の壁面凸部２３ａ、２３ａは、図２に示すように、ウェットティシュ容器１０の長手方向（図２の左右方向）の両端部側に、それぞれ形成されている。
このように壁面部２３に形成される２箇所の壁面凸部２３ａ、２３ａは、ウェットティシュ容器１０が載置部２１に載置されると図１に示すように、ウェットティシュ容器１０の容器側面凹部１６と係合する構成となっており、載置部２１と壁面凸部２３ａとで出入蓋１９を挟む構成とされている。
すなわち、図３で示すように、両側の壁面凸部２３ａ、２３ａが、容器側面凹部１６と係合して、取出口１２が形成された上下方向を中心に、確実にウェットティシュ容器１０を保持する構成となっている。
【００３５】
また、載置部２２には、図２に示すように、突出部２２ａが例えば４個形成されている。特に、この突出部２２ａは、壁面部２３に形成された壁面凸部２３ａに対応して形成されており、特にウェットティシュ容器１０の長手方向（図２の左右方向）の両端部側に、それぞれ形成されている。
この突起状とされた突出部２２ａは、ウェットティシュ容器１０が載置部２２に載置されたときに、図４のウェットティシュ容器１０の底面側の容器底面凹部１７に入り込んで係合する構成となっており、特に斜め方向に引かれた際に移動を規制している。
【００３６】
図７は、ウェットティシュ容器１０と取付部材２０との係合状態を示す概略図である。図７に示すように、載置部２２の突出部２２ａは、ウェットティシュ容器１０の容器底面凹部１７内に収容され、係合される構成となっている。
このように、ウェットティシュ容器１０の長手方向両端に設けられた容器保持部２１上に載置されたウェットティシュ容器１０は、載置部２２上に配置され、壁面部２３で、その側面を保持され、そして、壁面凸部２３ａ及び突出部２２ａによって、容器保持部２１と係合させられる。このため、ウェットティシュ容器１０は、容器保持部２１に安定的に保持され、所謂「ガタツキ」が生じない構成となっている。
【００３７】
すなわち、本実施の形態では、容器保持部２１に形成された壁面凸部２３ａと突出部２２ａによって、ウェットティシュ容器１０を底面側及び側面側より係合固定する構成となっているので、容器保持部２１が、取り出す際の上方向や、手前や横から引かれた際の斜め方向に対して、より確実にウェットティシュ容器１０を保持する構成となっている。
特に、これら壁面凸部２３ａと突出部２２ａは、ウェットティシュ容器１０の長手方向の両端部に形成されているので、中央部に形成されている場合よりもさらに、強固に保持できるので、「ガタツキ」の発生をより確実に抑える構成となっている。しかも、壁面凸部２３ａの下側の領域に突出部２２ａが形成されているため、各係合部が近接して配置されることになり、確実に保持する構成となっている。
【００３８】
そして、本実施の形態では、載置部２２の中央部にも２個の突出部２２ａが形成されているので、これらは、両端部の突出部２２ａと共に、手前方向に引かれた場合等、さらに確実にウェットティシュ容器１０の「ガタツキ」を抑える働きをする構成となっている。
【００３９】
また、図３に示す全体が略Ｕ字状の容器保持部２１は、変形可能な可撓性のある樹脂製となっている。このため、容器保持部２１にウェットティシュ容器１０を配置し、容器保持部２１の壁面凸部２３ａを、ウェットティシュ容器１０の容器側面凹部１６と係合させ、または係合を解除させるには、利用者が容器保持部２１を図２の矢印Ｒ方向に撓ませることで、容易に着脱が可能な構成となっている。
特に、ここでは長手方向両端側に容器側面凹部１６と壁面凸部２３ａを形成しているため、壁面部２３や載置部２２が延びる両端に位置することで撓み易く、結果的に着脱し易い構成とされている。
【００４０】
また、図７に示すように、本実施の形態では、ウェットティシュ容器１０を容器保持部２１に載置させ、容器保持部２１の突出部２２ａをウェットティシュ容器１０の容器底面凹部１７内に係合させると、ウェットティシュ容器１０の底面側の周縁部１８が容器底面凹部１７に挿入された突出部２２ａと壁面部２３とで挟持される構成となっている。
したがって、上述の構成に加え、ウェットティシュ容器１０の周縁部１８を挟持することで、より確実に容器保持部２１がウェットティシュ容器１０を保持し、「ガタツキ」を未然に防ぐ構成となっている。
このため、図１のようにトイレットペーパーホルダ２上に、取付部材付きウェットティシュ容器１０を設置し、利用者が便座に座った状態や、幼児の保護者が不自然な姿勢で、ウェットティシュ片１１ａを取出口１２から斜めに引き抜こうとして、無理な力がウェットティシュ容器１０に加わってもウェットティシュ容器１０は「ガタツキ」が生じないため、ウェットティシュ片１１ａをスムーズに引き抜くことができる。
特に、ウェットティシュ片１１ａが、便器の水圧で開繊する水解性ウェットティシュの場合は、ウェットティシュ容器１０の僅かな「ガタツキ」でも容易に切れてしまうという問題が従来はあった。しかし、本実施の形態では、ウェットティシュ容器１０の「ガタツキ」を相当程度、抑えることができるため、水解性ウェットティシュを収容しているウェットティシュ容器１０であっても、ウェットティシュ片１１ａを引き抜くときに、切れにくく、使用者にとって使い易い取付部材付きウェットティシュ容器１０となっている。
【００４１】
次に、図２や図７に示す配置固定部３１及び配置固定部３１と容器保持部２１との関係等について説明する。先ず、図２に示すように、別部材の配置固定具とされた配置固定部３１には、貫通孔である挿入孔３２が形成されている。
一方、別部材の容器保持具とされた容器保持部２１には、図２に示すように、その側面形状が略Ｌ字状の挿通部２４が形成されている。この挿通部２４の上方向に延びる先端側が背面部２４ａで、横方向に延びる基端側が基端部２４ｂと成っている。つまり、基端部２４ｂと背面部２４ａは略９０度折り曲がった形状となっており、これによって全体として略Ｌ字状となっている。
この容器保持部２１の挿通部２４を、配置固定部３１の挿入孔３２内に挿入し、両者を接続した状態が示されているのが、図７である。図７に示すように、挿通部２４を挿入孔３２に挿入すると、挿通部２４の背面部２４ａが配置固定部３１の背面側に沿って位置する。そして、背面部２４ａに連接する基端部２４ｂが、配置固定部３１の挿入孔３２内に位置する。
したがって、容器保持部２１は、配置固定部３１に対して直交するように垂直に配置されることになる。つまり、容器保持部２１は、配置固定部３１に対して直交する方向に延伸するように配置されていることになる。
そして、その結果、図７等に示すように容器保持部２１の載置部２２が上方を臨み、上方を向いて配置される構成ともなっている。
【００４２】
したがって、取付部材付きウェットティシュ容器１０を、図１に示すようにトイレットペーパーホルダ２に設置したとき、ウェットティシュ容器１０の取出口１２が上を向くので利用者にとってウェットティシュ片１１ａを引き出し易い構成となっている。
【００４３】
また、容器保持部２１と配置固定部３１とは、挿通部２４を挿入孔３２内に挿入し、又は取り出すことで、着脱可能な構成となっている。つまり、容器保持部２１と配置固定部３１に対して直交するように配置されているので、この方向に沿って着脱可能の構成となっている。
このように両者を着脱可能な構成とすると、従来は、この接続部分に「ガタツキ」が生じ、ウェットティシュ容器１０の「ガタツキ」という事態が生じていた。この点、本実施の形態では、図２及び図７に示すように、挿通部２４が略Ｌ字状となり、この挿通部２４を配置固定部３１の挿入孔３２内に挿入し、且つ、挿通部２４の背面部２４ａを配置固定部３１の背面側に沿って配置する構成としている。
つまり、略Ｌ字状の部分が、配置固定部３１に沿って配置されることになる。したがって、挿通部２４と配置固定部３１との接触面積が大きくなるので、この接続部分に「ガタツキ」が生じにくい構成となっている。したがって、使用に際し、ウェットティシュ容器１０の「ガタツキ」も生じにくい使い易い構成となっている。
【００４４】
また、ウェットティシュ容器１０は、容器保持部２１に対して着脱可能な構成となっているので、ウェットティシュ容器１０は容器保持部２１から取り外すことで、トイレ以外の場所でも使用することができる構成となっている。
【００４５】
次に、図２に示すように、配置固定部３１には、その下方側に図１のトイレットペーパーホルダ２の背面側に対して上方から差し込まれる差込部３１ａが形成されている。
また、図２及び図７に示すように、差込部３１ａには、抜け止め凸部３３が形成されている。この抜け止め凸部３３は、図１に示すように、取付部材付きウェットティシュ容器１０の差込部３１ａを、トイレットペーパーホルダ２に装着してウェットティシュ片１１ａを取り出す際に、容易にトイレットペーパーホルダ２から抜け出さないようにするためのものである。具体的には、図５に示すようにトイレットペーパーホルダ２側に先端が突出した返しとされた、一種の板バネ形状を成している。
【００４６】
また、配置固定部３１の上部であってウェットティシュ容器１０の背面側には、図２及び図７に示すように、上述のシール台紙１５を配置するためのシート保持部３４が形成されている。
このシート保持部３４は、図７に示すように、配置固定部３１の前面側に突出し、壁面に沿って上側にスリットが開くよう構成されており、シール台紙１５を差し込むことで保持する構成とされている。
したがって、幼児がトイレトレーニングをする際の上述のシール台紙１５をトイレに一緒に置いて、使用する際にも取り出し易くすることができる構成となっている。
このように、シール台紙１５を取付部材付きウェットティシュ容器１に配置することができるので、狭いトイレ等であっても、シール台紙１５を邪魔にならずに、且つ紛失することなく、保管することができる。
また、シール台紙１５は、配置固定部３１の上側のシート保持部３４に保持されるので、幼児がシール台紙１５の位置を視認し易い構成となっている。
特に、図２等に示すように、ラベル１１ｂがウェットティシュ容器１０の前面側に配置されているので、ウェットティシュ容器１０の背面側に配置されているシール台紙１５から、個々の動物シール等を剥がして、前面側に貼るという動作となり、幼児にとって操作しやすい構成となっている。これがため、幼児等のトイレトレーニングを効果的に進めることができる。
【００４７】
ところで、図４は、取付部材付きウェットティシュ容器１０の流通状態を示している。流通段階では、ウェットティシュ容器１０の底面側に容器保持部２１と配置固定部３１をランナ４０で簡易接続した状態のまま一体としている。したがって、流通段階での全体の容積を減らすことができると共に、製造時の製造コストを低減させることができる。
【００４８】
（第２の実施の形態）
図８は、第２の実施の形態にかかる取付部材付きウェットティシュ容器の要部である取付部材１２０を示す概略斜視図である。本実施の形態にかかる取付部材１２０の構成の多くは、上述の第１の実施の形態にかかる取付部材２０と共通しているので、共通している構成は、同一符号等として説明を省略し、以下、相違点を中心に説明する。
本実施の形態にかかる取付部材１２０は、上述の第１の実施の形態の取付部材２０と、シート保持部３４の構成が異なる。つまり、本実施の形態では、第１の実施の形態のシート保持部３４が、配置固定部１３１ではなく、容器保持部１２１に形成されているフック係合部１２６と、このフック係合部１２６に係合されるフック１２５となっている。
なお、このフック係合部１２６は載置部１１とは逆側に突出した突出部１２６ａに形成されており、この突出部１２６ａを掴むことで、容器保持部１２１を撓ませて、図示しない容器本体を取り外し易い構成とされている。
【００４９】
そして、本実施の形態では、第１の実施の形態のシート台紙１５の形状が相違する。すなわち、シール台紙１１５は、その表面に複数の個別シール１１５ｂが形成されている。そして、このシール台紙１１５には、係合手段として台紙開口１１５ａが形成され、この台紙開口１１５ａを介してフック１２５と係合する構成となっている。
また、本実施の形態では、図８に示すように、個別シール再貼付部であるラベル１１ｂの形態が異なっており、個別シール再貼付部である再貼付部１１６は、見開きのノート状とされており、個別シール１１５ｂを貼るための枠１１６ｂが設けられており、角部には吊下げ開口１１６ａが形成され、この吊下げ開口１１６ａに対応したフック１２５と係合させて、吊下げられる構成とされている。
このように再貼付部１１６を形成することで、何回トイレをできたかが把握し易く、シールが増えていく楽しみによって、トイレトレーニングを促し易くできる。
なお、このような再貼着部は、様々な構成が考えられ、双六状やパズル状としてもよく、ウェットティシュ包装袋１１と同梱するだけでなく、例えば異なる図柄をインターネット等で画像として入手できる構成としても良い。
【００５０】
（第３の実施の形態）
図９（ａ）（ｂ）は、第３の実施の形態に係る取付部材付きウェットティシュ容器２００を示す概略斜視図である。本実施の形態に係る取付部材付きウェットティシュ容器２００の構成のうち、上述の第１の実施の形態の取付部材付きウェットティシュ容器１と共通する部分は、説明を省略し、以下相違点を中心に説明する。
本実施の形態では、取付部材２２０は、図９（ｂ）に示すように、トイレットペーパーホルダ２に、吊り下げられる構成となっている。
また、取付部材２２０の下方では、ウェットティシュ包装袋１１１を包むように保持する包装体保持部２２０ａを有している。
【００５１】
一方、ウェットティシュ包装袋１１１は、図９（ｂ）に示すように、包装袋蓋１１１ａを有しており、取付部材２２０の包装袋保持部２２０ａには、内部に保持したウェットティシュ包装袋１１１の包装袋蓋１１１ａを配置するための包装袋開口２２０ｂが、包装袋蓋１１１ａに対応した形状で形成されている。
したがって、図７（ｂ）に示すように、取付部材２２０にウェットティシュ包装袋１１１を配置すると、包装袋蓋１１１ａが外部に露出する構成となっている。
このため、利用者は、トイレットペーパーホルダ２の下側に配置されたウェットティシュ包装袋１１１の包装袋蓋１１１ａを開けることで、ウェットティシュ片１１ａを引き出すことができる構成となっている。
【００５２】
また、本実施の形態では、図９（ａ）に示すように、ウェットティシュ包装袋１１１の包装袋蓋１１１ａの表面側に、第１の実施の形態のラベル１１ｂに相当する個別シール再貼付部である例えば、車の絵のシールの一部分ずつを貼り付ける再貼付部１１１ｃがクリップ等により配置されている。したがって、この再貼付部１１１ｃは、交換可能な構成となっている。
また、包装袋蓋１１１ａの内側には、例えば、袋状のシール台紙保持部１１１ｂによって保持されるシール台紙２１５が保持されている。
このシール台紙２１５には、例えば、自動車の絵が分割して配置されており、この分割された自動車のシールを、順に図９（ａ）の再貼付部１１１ｃに貼ることで、自動車の絵が完成する構成となっている。
このように、本実施の形態では、シール１１１ｃとシール台紙１１５をウェットティシュ包装袋１１１の包装蓋１１１ａに保持させることができると共に、このような包装蓋１１１ａを取付部材２２０が保持でき、さらに、このような取付部材２２０をトイレットペーパーホルダ２に配置できるので、低い位置に便器がある利用者にとって使い易い構成となっている。特に、幼児のトイレとレーニングに使用するときは、分解された絵を組み立てていくので、完成した際の喜びがあり、トイレトレーニングを楽しくさせることができ、トイレトレーニングを促すことができる。
【００５３】
本発明は、上述の各実施の形態に限定されない。個別シール部や個別シール再配置部の図柄は様々な形態が採用でき、文字や幾何学模様等であってもよい。また、個別シール配置部や個別シール再配置部を容器本体側に固定する係合方法や、トイレットペーパーホルダに取付部を保持する係合方法も様々な形態が採用でき、トイレットペーパーホルダに取り付けるのではなく、両面テープやネジ等によって壁面に取り付けてもよい。また、上記実施形態の各構成は、その一部を省略し、または、任意に組み合わせることができる。
【図面の簡単な説明】
【００５４】
【図１】本発明である幼児用シート体容器の第１の実施の形態である例えば取付部材付きウェットティシュ容器が、トイレットペーパーホルダに装着されている状態を示す概略斜視図である。
【図２】図１の取付部材付きウェットティシュ容器の概略分解斜視図である。
【図３】シールの表面の図柄等の一例を示した概略図である。
【図４】（ａ）は、図２のシールの表面を示す概略図であり、（ｂ）は、シールの裏面側を示す概略図である。
【図５】図２のシール台紙を示す概略図である。
【図６】取付部材付きウェットティシュ容器の流通状態を示す概略図である。
【図７】ウェットティシュ容器と取付部材との係合状態を示す概略図である。
【図８】第２の実施の形態にかかる取付部材付きウェットティシュ容器の要部である取付部材を示す概略斜視図である。
【図９】第３の実施の形態に係る取付部材付きウェットティシュ容器を示す概略斜視図である。
【符号の説明】
【００５５】
１・・・取付部材付きウェットティシュ容器、２・・・トイレットペーパーホルダ、１０・・・ウェットティシュ容器、１１・・・ウェットティシュ包装袋、１１ａ・・・ウェットティシュ片、１１ｂ・・・ラベル、１１ｃ・・・包装袋取出口、１１ｄ・・・接着面、１１ｅ・・・被覆部、１２・・・取出口、１５・・・シール台紙、２０・・・取付部材、２１・・・容器保持部、３１・・・配置固定部、３１ａ・・・差込部、３３・・・抜け止め部
【図１】
2008094421.tif 000003
【図２】
2008094421.tif 000004
【図３】
2008094421.tif 000005
【図４】
2008094421.tif 000006
【図５】
2008094421.tif 000007
【図６】
2008094421.tif 000008
【図７】
2008094421.tif 000009
【図８】
2008094421.tif 000010
【図９】
2008094421.tif 000011